(57)【要約】【課題】流れの吐き出し方向は、羽根車の全周方向であり、扇風機１を天井面に近くに設置した場合や、背の比較的高いリビング扇として使用した場合には、下方の人間には、風が届かない欠点があった。したがって、設置の場所が、上方の場合には、下方に均一に吹き出すことが要求されている。本発明は、このような従来の課題を解決するものであり、風の吹き出し方向を下方にできる扇風機１を提供することを目的としている。【解決手段】本体２に取り付けられた電動機３と、電動機３の回転軸４に取り付けられた遠心ファン５と遠心ファン５の周囲に取り付けられたガード６よりなり、風を上方向から吸込み下方に吹き出すようにブレード７の外直径を軸方向に変化させて構成したことを特徴とする扇風機１を提供できることとなる。【選択図】図１
2008169764.tif 000002
【特許請求の範囲】
【請求項１】
本体に取り付けられた電動機と、電動機の回転軸に取り付けられた遠心ファンと遠心ファン周囲に取り付けられたガードよりなり、空気を上方向から吸込み下方に吹き出すようにブレードの外直径を軸方向に変化させて構成したことを特徴とする扇風機。
【請求項２】
本体に取り付けられた電動機と、電動機の回転軸に取り付けられた遠心ファンと遠心ファン周囲に取り付けられたガードよりなり、空気を上方向から吸込み下方に吹き出すようにブレードの外直径を軸方向に上方が大きく下方が小さくさせて構成したことを特徴とする請求項１記載の扇風機。
【請求項３】
本体に取り付けられた電動機と、電動機の回転軸に取り付けられた遠心ファンと遠心ファン周囲に取り付けられたガードよりなり、空気を上方向から吸込み下方に吹き出すようにブレードの外直径を軸方向に上方が大きく下方が小さく変化させ、かつ上側板を円錐台状に傾斜させて構成したことを特徴とする請求項１または２記載の扇風機。
【請求項４】
本体に取り付けられた電動機と、電動機の回転軸に取り付けられた遠心ファンと遠心ファン周囲に取り付けられたガードよりなり、空気を上方向から吸込み下方に吹き出すようにブレードの外直径を軸方向に上方が大きく下方が小さく軸方向に変化させ、かつ上側板および下側板を円錐台状に傾斜させて構成したことを特徴とする請求項１または２記載の扇風機。
【発明の詳細な説明】
【技術分野】
【０００１】
本発明は、主に室内の居室に設置され涼しさを得るためにやさしい風を受風する扇風機などに関するものである。
【背景技術】
【０００２】
従来、この種の扇風機は、板状のブレードを有する両吸込遠心ファンを、モータの垂直軸に取り付けた構成のものが知られている（例えば、特許文献１参照）。
【０００３】
以下、その扇風機について図５を参照しながら説明する。
【０００４】
図４に示すように、遠心ファン１０１は、複数の板状のブレード１０２を、シャフト１０３に取り付け、シャフトは電動機により駆動される。
【０００５】
上記構成において、遠心ファン１０１が回転すると、吸込空気は、ブレード１０２の吸引力によって、上下より吸込まれ、遠心ファン１０１のブレード１０２の外周部より、全周囲に放出される。これにより、風速のゆるいソフトな風が全周に出される扇風機が得られる。
【特許文献１】実開平０３−０３５２９３号公報
【発明の開示】
【発明が解決しようとする課題】
【０００６】
このような従来の扇風機では、流れの吐き出し方向は、羽根車の全周方向であり、羽根車を天井面に近くに設置した場合や、背の比較的高いリビング扇として使用した場合には、下方の人間には、届かない欠点があった。したがって、設置の場所が、上方の場合には、下方に均一に吹き出すことが要求されている。
【０００７】
本発明は、このような従来の課題を解決するものであり、風の吹き出し方向を下方にできる扇風機を提供することを目的としている。
【課題を解決するための手段】
【０００８】
本発明の扇風機は上記目的を達成するために、本体に取り付けられた電動機と、電動機の回転軸に取り付けられた遠心ファンと遠心ファン周囲に取り付けられたガードよりなり、空気を上方向から吸込み下方に吹き出すようにブレードの外直径を軸方向に変化させて構成したことを特徴とする扇風機としたものである。
【０００９】
この手段により、空気の吹き出し方向を下方にできる扇風機が得られる。
【００１０】
また他の手段は、本体に取り付けられた電動機と、電動機の回転軸に取り付けられた遠心ファンと遠心ファン周囲に取り付けられたガードよりなり、空気を上方向から吸込み下方に吹き出すようにブレードの外直径を軸方向に上方が大きく下方が小さくさせて構成したことを特徴とする扇風機としたものである。
【００１１】
この手段により、空気の吹き出し方向を下方にできる扇風機が得られる。
【００１２】
また他の手段は、本体に取り付けられた電動機と、電動機の回転軸に取り付けられた遠心ファンと遠心ファン周囲に取り付けられたガードよりなり、空気を上方向から吸込み下方に吹き出すようにブレードの外直径を軸方向に変化させ、かつ上側板を円錐台状に傾斜させて構成したことを特徴とする扇風機としたものである。
【００１３】
この手段により、空気の吹き出し方向を下方にできる扇風機が得られる。
【００１４】
また他の手段は、本体に取り付けられた電動機と、電動機の回転軸に取り付けられた遠心ファンと遠心ファン周囲に取り付けられたガードよりなり、空気を上方向から吸込み下方に吹き出すようにブレードの外直径を軸方向に上方が大きく下方が小さく軸方向に変化させ、かつ上側板および下側板を円錐台状に傾斜させて構成したことを特徴とする扇風機としたものである。
【００１５】
この手段により、風の吹き出し方向を下方にできる扇風機が得られる。
【発明の効果】
【００１６】
本発明によれば、このような従来の課題を解決するものであり、空気の吹き出し方向を下方にできる扇風機を提供することができる。
【発明を実施するための最良の形態】
【００１７】
本発明の請求項１記載の発明は、本体に取り付けられた電動機と、電動機の回転軸に取り付けられた遠心ファンと遠心ファン周囲に取り付けられたガードよりなり、空気を上方向から吸込み下方に吹き出すようにブレードの外直径を軸方向に変化させて構成したことを特徴とする扇風機としたものである。
【００１８】
この結果、吸込んだ流れは、下方に向かう斜流方向となり、吹き出し方向を下方にでき、扇風機を上方に設置した場合、下方に空気の到達する扇風機とすることができるという作用を有する。
【００１９】
また、本体に取り付けられた電動機と、電動機の回転軸に取り付けられた遠心ファンと遠心ファン周囲に取り付けられたガードよりなり、空気を上方向から吸込み下方に吹き出すようにブレードの外直径を軸方向に上方が大きく下方が小さくさせて構成したことを特徴とする扇風機としたものである。
【００２０】
この結果、吸込んだ流れは、下方に向かう斜流方向となり、吹き出し方向を下方にでき、扇風機を上方に設置した場合、下方に空気の到達する扇風機とすることができるという作用を有する。
【００２１】
また、本体に取り付けられた電動機と、電動機の回転軸に取り付けられた遠心ファンと遠心ファン周囲に取り付けられたガードよりなり、空気を上方向から吸込み下方に吹き出すようにブレードの外直径を軸方向に上方が大きく下方が小さく軸方向に変化させ、かつ上側板を円錐台状に傾斜させて構成したことを特徴とする扇風機としたものである。
【００２２】
この結果、吸込んだ流れは、確実に下方に向かう斜流方向となり、吹き出し方向をより下方にでき、扇風機を上方に設置した場合、確実に下方に空気の到達する扇風機とすることができるという作用を有する。
【００２３】
また、本体に取り付けられた電動機と、電動機の回転軸に取り付けられた遠心ファンと遠心ファン周囲に取り付けられたガードよりなり、空気を上方向から吸込み下方に吹き出すようにブレードの外直径を軸方向に上方が大きく下方が小さく軸方向に変化させ、かつ上側板および下側板を円錐台状に傾斜させて構成したことを特徴とする扇風機としたものである。
【００２４】
この結果、吸込んだ流れは、確実にさらに下方に向かう斜流方向となり、吹き出し方向をより確実に下方にでき、扇風機を上方に設置した場合、より確実に下方に空気の到達する扇風機とすることができるという作用を有する。
【００２５】
（実施の形態１）
以下、本発明の実施の形態について図面を参照しながら説明する。
【００２６】
図１に示すように、扇風機１は、本体２に取り付けられた電動機３と、電動機３の回転軸４に取り付けられた遠心ファン５と上記遠心ファン５の周囲に取り付けられたガード６よりなり、空気を上方向から吸込み下方に吹き出すようにブレード７の外直径Ｄを軸方向に上方が大きく下方が小さくさせている。
【００２７】
上記構成において、電動機３により遠心ファン５が回転すると、吸込み口より上方空気が吸い込まれ、ブレード７により昇圧と送風されるが、ブレード７の外直径Ｄは、上方の方が大きく、下方のほうが小さくなっているので、空気の流れは、下方に向かう斜流となる。
【００２８】
この結果、吸込んだ流れは、下方に向かう斜流方向となり、吹き出し方向を下方にでき、扇風機を上方に設置した場合、下方に風、空気の到達する扇風機とすることができるという作用を有する。
【００２９】
（実施の形態２）
以下、本発明の実施の形態について図面を参照しながら説明する。
【００３０】
図２に示すように、扇風機１は、本体２に取り付けられた電動機３と、電動機３の回転軸４に取り付けられた遠心ファン５と上記遠心ファン５の周囲に取り付けられたガード６よりなり、風を上方向から吸込み下方に吹き出すようにブレード７の外直径Ｄを軸方向に上方が大きく下方が小さく、かつ上側板８を円錐台状に傾斜させて構成したことをさせている。
【００３１】
上記構成において、電動機３により遠心ファン５が回転すると、吸込み口より上方空気が吸い込まれ、ブレード７により昇圧と送風されるが、ブレード７の外直径Ｄは、上方の方が大きく、下方のほうが小さくなっているので、風、空気の流れは、下方に向かう斜流となる、さらに上側板８が円錐台状に傾斜しているので、その傾斜により明確に下方の斜流方向に空気は運ばれる。
【００３２】
この結果、吸込んだ流れは、下方に向かう斜流方向となり、吹き出し方向を下方にでき、扇風機を上方に設置した場合、下方に風、空気の到達する扇風機とすることができるという作用を有する。
【００３３】
（実施の形態３）
以下、本発明の実施の形態について図面を参照しながら説明する。
【００３４】
図３に示すように、扇風機１は、本体２に取り付けられた電動機３と、電動機３の回転軸４に取り付けられた遠心ファン５と上記遠心ファン５の周囲に取り付けられたガード６よりなり、風を上方向から吸込み下方に吹き出すようにブレード７の外直径Ｄを軸方向に上方が大きく下方が小さく、かつ上側板８を円錐台状に傾斜させて構成したことをさせている。
【００３５】
上記構成において、電動機３により遠心ファン５が回転すると、吸込み口より上方空気が吸い込まれ、ブレード７により昇圧と送風されるが、ブレード７の外直径Ｄは、上方の方が大きく、下方のほうが小さくなっているので、風、空気の流れは、下方に向かう斜流となる、さらに上側板８および下側板９が円錐台状に傾斜しているので、その傾斜により確実に下方の斜流方向に空気は運ばれる。
【００３６】
この結果、吸込んだ流れは、下方に向かう斜流方向となり、吹き出し方向を下方にでき、扇風機を上方に設置した場合、下方に風の到達する扇風機とすることができるという作用を有する。
【産業上の利用可能性】
【００３７】
本発明は、上方に設置した場合に、空気、風の吹き出し方向を下方にできる扇風機などを提供することを目的としている。
【図面の簡単な説明】
【００３８】
【図１】本発明の実施の形態１の扇風機を示す側断面図
【図２】本発明の実施の形態２の扇風機を示す側断面図
【図３】本発明の実施の形態３の扇風機を示す側断面図
【図４】従来の形態の扇風機を示す斜視図
【符号の説明】
【００３９】
１      扇風機
２      本体
３      電動機
４      回転軸
５      遠心ファン
６      ガード
７      ブレード
８      上側板
９      下側板
１０１  遠心ファン
１０２  ブレード
１０３  シャフト
【図１】
2008169764.tif 000003
【図２】
2008169764.tif 000004
【図３】
2008169764.tif 000005
【図４】
2008169764.tif 000006